【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  複数のセグメントを連結してＯＦＤＭ変調された送信信号の一部のセグメントを選択して受信する復調装置であって、
第１の局部発振信号を生成する第１の発振器と、
前記受信信号を、前記第１の局部発振信号を用いて、前記受信信号よりも高い周波数の第１の中間周波信号に周波数変換する第１のミキサと、
第２の局部発振信号を生成する第２の発振器と、
前記第１の中間周波信号を、前記第２の局部発振信号を用いて、前記第１の中間周波数よりも低い第２の中間周波数に周波数変換するイメージ除去型の第２のミキサと、
前記第２の中間周波信号をＯＦＤＭ復調するＯＦＤＭ復調器と、
前記受信セグメントの位置に応じて、前記第１の局部発振信号の周波数を、前記第１の中間周波数よりも高くするか低くするかを切換える制御部と、を具備することを特徴とする復調装置。
【請求項２】  前記制御部は、前記第１の中間周波数が前記第２の局部発振周波数よりも低いときは、
前記受信信号の下側のセグメントを選択して受信する場合には、前記第１の局部発振周波数を前記第１の中間周波数よりも低くなるように設定し、
前記受信信号の上側のセグメントを選択して受信する場合には、前記第１の局部発振周波数を前記第１の中間周波数よりも高くなるように設定し、
前記第１の中間周波数が前記第２の局部発振周波数よりも高いときは、
前記受信信号の下側のセグメントを選択して受信する場合には、前記第１の局部発振周波数を前記第１の中間周波数よりも高くなるように設定し、
前記受信信号の上側のセグメントを選択して受信する場合には、前記第１の局部発振周波数を前記第１の中間周波数よりも低くなるように設定することを特徴とする請求項１記載の復調装置。
【請求項３】  複数のセグメントを連結してＯＦＤＭ変調された送信信号の一部のセグメントを選択して受信する復調装置であって、
第１の局部発振信号を生成する第１の発振器と、
前記受信信号を、前記第１の局部発振信号を用いて、前記受信信号よりも高い周波数の第１の中間周波信号に周波数変換する第１のミキサと、
前記第１の中間周波信号に対して、周波数オフセットを設定した第２の局部発振信号を生成する第２の発振器と、
前記第１の中間周波信号を、前記第２の局部発振信号を用いて、前記第１の中間周波数よりも低い第２の中間周波数に周波数変換する直交検波型の第２のミキサと、
前記第２の中間周波信号をＯＦＤＭ復調するＯＦＤＭ復調器と、
前記受信セグメントの位置に応じて、前記第２の局部発振信号の前記周波数オフセットの符号を切り換える制御部と、を具備することを特徴とする復調装置。
【請求項４】  前記制御部は、前記受信信号の下側のセグメントを選択して受信する場合には、前記第２の局部発振周波数が前記第１の中間周波数よりも低くなるように前記周波数オフセットを設定し、
前記受信信号の上側のセグメントを選択して受信する場合には、前記第２の局部発振周波数が前記第１の中間周波数よりも高くなるように前記周波数オフセットを設定することを特徴とする請求項３記載の復調装置。
【請求項５】  複数のセグメントを連結してＯＦＤＭ変調された送信信号の一部のセグメントを選択して受信する復調装置であって、
第１の局部発振信号を生成する第１の発振器と、
前記受信信号を、前記第１の局部発振信号を用いて、前記受信信号よりも高い周波数の第１の中間周波信号に周波数変換する第１のミキサと、
前記第１の中間周波信号に対して、周波数オフセットを設定した第２の局部発振信号を生成する第２の発振器と、
前記第１の中間周波信号を、前記第２の局部発振信号を用いて、前記第１の中間周波数よりも低い第２の中間周波数に周波数変換する直交検波型の第２のミキサと、
前記第２の中間周波信号をデジタル信号に変換するＡＤコンバータと、
前記ＡＤコンバータ出力の周波数オフセットを補正するデジタル信号処理型の第３のミキサと、
前記第３のミキサの出力をＯＦＤＭ復調するＯＦＤＭ復調器と、を具備することを特徴とする復調装置。
【請求項６】  前記第２の局部発振信号の前記周波数オフセットは、選択して受信される前記一部のセグメントの帯域幅の１／２よりも大きいことを特徴とする請求項３または５記載の復調装置。
【請求項７】  請求項１、３、５のいずれか１記載の復調装置が複数系列あり、
前記各系列間で前記第１の発振器または前記第２の発振器の少なくとも一方を共有し、
前記各系列で受信信号の一部のセグメントを選択して受信してＯＦＤＭ復調を行い、
前記各系列の復調結果に基づいてデータを再生することを特徴とする復調装置。
【請求項８】  デジタル変調された送信信号を隣接信号が存在する環境下で受信する復調装置であって、
第１の局部発振信号を生成する第１の発振器と、
前記受信信号を、前記第１の局部発振信号を用いて、前記受信信号よりも高い周波数の第１の中間周波信号に周波数変換する第１のミキサと、
第２の局部発振信号を生成する第２の発振器と、
前記第１の中間周波信号を、前記第２の局部発振信号を用いて、前記第１の中間周波数よりも低い第２の中間周波数に周波数変換するイメージ除去型の第２のミキサと、
前記第２の中間周波信号をデジタル復調するデジタル復調器と、
前記隣接信号と前記受信信号の相対位置に応じて、前記第１の局部発振信号の周波数を、前記第１の中間周波数よりも高くするか低くするかを切換える制御部と、を具備することを特徴とする復調装置。
【請求項９】  デジタル変調された送信信号を隣接信号が存在する環境下で受信する復調装置であって、
第１の局部発振信号を生成する第１の発振器と、
前記受信信号を、前記第１の局部発振信号を用いて、前記受信信号よりも高い周波数の第１の中間周波信号に周波数変換する第１のミキサと、
前記第１の中間周波信号に対して、周波数オフセットを設定した第２の局部発振信号を生成する第２の発振器と、
前記第１の中間周波信号を、前記第２の局部発振信号を用いて、前記第１の中間周波数よりも低い第２の中間周波数に周波数変換する直交検波型の第２のミキサと、
前記第２の中間周波信号をデジタル復調するデジタル復調器と、
前記隣接信号と前記受信信号の相対位置に応じて、前記第２の局部発振信号の前記周波数オフセットの符号を切り換える制御部と、を具備することを特徴とする復調装置。
【手続補正２】
【補正対象書類名】明細書
【補正対象項目名】００３１
【補正方法】変更
【補正の内容】
【００３１】
【課題を解決するための手段】
本願の請求項１の発明は、複数のセグメントを連結してＯＦＤＭ変調された送信信号の一部のセグメントを選択して受信する復調装置であって、第１の局部発振信号を生成する第１の発振器と、前記受信信号を、前記第１の局部発振信号を用いて、前記受信信号よりも高い周波数の第１の中間周波信号に周波数変換する第１のミキサと、第２の局部発振信号を生成する第２の発振器と、前記第１の中間周波信号を、前記第２の局部発振信号を用いて、前記第１の中間周波数よりも低い第２の中間周波数に周波数変換するイメージ除去型の第２のミキサと、前記第２の中間周波信号をＯＦＤＭ復調するＯＦＤＭ復調器と、前記受信セグメントの位置に応じて、前記第１の局部発振信号の周波数を、前記第１の中間周波数よりも高くするか低くするかを切換える制御部と、を具備することを特徴とする。
又この復調装置が複数系列あり、前記各系列間で前記第１の発振器または前記第２の発振器の少なくとも一方を共有し、前記各系列で受信信号の一部のセグメントを選択して受信してＯＦＤＭ復調を行い、前記各系列の復調結果に基づいてデータを再生するようにしてもよい。
【手続補正３】
【補正対象書類名】明細書
【補正対象項目名】００３２
【補正方法】変更
【補正の内容】
【００３２】
本願の請求項２の発明は、前記制御部は、前記第１の中間周波数が前記第２の局部発振周波数よりも低いときは、前記受信信号の下側のセグメントを選択して受信する場合には、前記第１の局部発振周波数を前記第１の中間周波数よりも低くなるように設定し、前記受信信号の上側のセグメントを選択して受信する場合には、前記第１の局部発振周波数を前記第１の中間周波数よりも高くなるように設定し、前記第１の中間周波数が前記第２の局部発振周波数よりも高いときは、前記受信信号の下側のセグメントを選択して受信する場合には、前記第１の局部発振周波数を前記第１の中間周波数よりも高くなるように設定し、前記受信信号の上側のセグメントを選択して受信する場合には、前記第１の局部発振周波数を前記第１の中間周波数よりも低くなるように設定することを特徴とする。
【手続補正４】
【補正対象書類名】明細書
【補正対象項目名】００３３
【補正方法】変更
【補正の内容】
【００３３】
本願の請求項３の発明は、複数のセグメントを連結してＯＦＤＭ変調された送信信号の一部のセグメントを選択して受信する復調装置であって、第１の局部発振信号を生成する第１の発振器と、前記受信信号を、前記第１の局部発振信号を用いて、前記受信信号よりも高い周波数の第１の中間周波信号に周波数変換する第１のミキサと、前記第１の中間周波信号に対して、周波数オフセットを設定した第２の局部発振信号を生成する第２の発振器と、前記第１の中間周波信号を、前記第２の局部発振信号を用いて、前記第１の中間周波数よりも低い第２の中間周波数に周波数変換する直交検波型の第２のミキサと、前記第２の中間周波信号をＯＦＤＭ復調するＯＦＤＭ復調器と、前記受信セグメントの位置に応じて、前記第２の局部発振信号の前記周波数オフセットの符号を切り換える制御部と、を具備することを特徴とする。
又この復調装置が複数系列あり、前記各系列間で前記第１の発振器または前記第２の発振器の少なくとも一方を共有し、前記各系列で受信信号の一部のセグメントを選択して受信してＯＦＤＭ復調を行い、前記各系列の復調結果に基づいてデータを再生するようにしてもよい。
【手続補正５】
【補正対象書類名】明細書
【補正対象項目名】００３４
【補正方法】変更
【補正の内容】
【００３４】
本願の請求項４の発明は、前記制御部は、前記受信信号の下側のセグメントを選択して受信する場合には、前記第２の局部発振周波数が前記第１の中間周波数よりも低くなるように前記周波数オフセットを設定し、前記受信信号の上側のセグメントを選択して受信する場合には、前記第２の局部発振周波数が前記第１の中間周波数よりも高くなるように前記周波数オフセットを設定することを特徴とする。
【手続補正６】
【補正対象書類名】明細書
【補正対象項目名】００３５
【補正方法】変更
【補正の内容】
【００３５】
本願の請求項５の発明は、複数のセグメントを連結してＯＦＤＭ変調された送信信号の一部のセグメントを選択して受信する復調装置であって、第１の局部発振信号を生成する第１の発振器と、前記受信信号を、前記第１の局部発振信号を用いて、前記受信信号よりも高い周波数の第１の中間周波信号に周波数変換する第１のミキサと、前記第１の中間周波信号に対して、周波数オフセットを設定した第２の局部発振信号を生成する第２の発振器と、前記第１の中間周波信号を、前記第２の局部発振信号を用いて、前記第１の中間周波数よりも低い第２の中間周波数に周波数変換する直交検波型の第２のミキサと、前記第２の中間周波信号をデジタル信号に変換するＡＤコンバータと、前記ＡＤコンバータ出力の周波数オフセットを補正するデジタル信号処理型の第３のミキサと、前記第３のミキサの出力をＯＦＤＭ復調するＯＦＤＭ復調器と、を具備することを特徴とする。
又この復調装置が複数系列あり、前記各系列間で前記第１の発振器または前記第２の発振器の少なくとも一方を共有し、前記各系列で受信信号の一部のセグメントを選択して受信してＯＦＤＭ復調を行い、前記各系列の復調結果に基づいてデータを再生するようにしてもよい。
【手続補正７】
【補正対象書類名】明細書
【補正対象項目名】００３６
【補正方法】変更
【補正の内容】
【００３６】
本願の請求項６の発明は、前記第２の局部発振信号の前記周波数オフセットは、選択して受信される前記一部のセグメントの帯域幅の１／２よりも大きいことを特徴とする。
【手続補正８】
【補正対象書類名】明細書
【補正対象項目名】００３７
【補正方法】変更
【補正の内容】
【００３７】
本願の請求項８の発明は、デジタル変調された送信信号を隣接信号が存在する環境下で受信する復調装置であって、第１の局部発振信号を生成する第１の発振器と、前記受信信号を、前記第１の局部発振信号を用いて、前記受信信号よりも高い周波数の第１の中間周波信号に周波数変換する第１のミキサと、第２の局部発振信号を生成する第２の発振器と、前記第１の中間周波信号を、前記第２の局部発振信号を用いて、前記第１の中間周波数よりも低い第２の中間周波数に周波数変換するイメージ除去型の第２のミキサと、前記第２の中間周波信号をデジタル復調するデジタル復調器と、前記隣接信号と前記受信信号の相対位置に応じて、前記第１の局部発振信号の周波数を、前記第１の中間周波数よりも高くするか低くするかを切換える制御部と、を具備することを特徴とする。
【手続補正９】
【補正対象書類名】明細書
【補正対象項目名】００３８
【補正方法】変更
【補正の内容】
【００３８】
本願の請求項９の発明は、デジタル変調された送信信号を隣接信号が存在する環境下で受信する復調装置であって、第１の局部発振信号を生成する第１の発振器と、前記受信信号を、前記第１の局部発振信号を用いて、前記受信信号よりも高い周波数の第１の中間周波信号に周波数変換する第１のミキサと、前記第１の中間周波信号に対して、周波数オフセットを設定した第２の局部発振信号を生成する第２の発振器と、前記第１の中間周波信号を、前記第２の局部発振信号を用いて、前記第１の中間周波数よりも低い第２の中間周波数に周波数変換する直交検波型の第２のミキサと、前記第２の中間周波信号をデジタル復調するデジタル復調器と、前記隣接信号と前記受信信号の相対位置に応じて、前記第２の局部発振信号の前記周波数オフセットの符号を切り換える制御部と、を具備することを特徴とする。